(57)【要約】【課題】クリップ及びノック部材のいずれを用いてもノック操作可能であり、いずれか一方のノック操作が他方に連動していないノック式筆記具を提供する。【解決手段】軸筒４と筆記体５と第１操作部材３０、６０と第２操作部材２０とを具備し、第１操作部材３０、６０又は第２操作部材２０を前方へ押圧するノック操作によって筆記体５の筆記位置と非筆記位置とを切り替え可能なノック式筆記具１が、第１操作部材３０、６０及び第２操作部材２０のいずれを用いてもノック操作が可能であり、第２操作部材２０のノック操作の際に、第１操作部材３０、６０と第２操作部材２０とが係合して第１操作部材３０、６０のノック操作が行われるが、第１操作部材３０、６０のノック操作の際に、第１操作部材３０、６０と第２操作部材２０とが係合しない。【選択図】図２
2020078926.tif 000002
【特許請求の範囲】
【請求項１】
軸筒と筆記体と第１操作部材と第２操作部材とを具備し、前記第１操作部材又は前記第２操作部材を前方へ押圧するノック操作によって前記筆記体の筆記位置と非筆記位置とを切り替え可能なノック式筆記具であって、
前記第１操作部材及び前記第２操作部材のいずれを用いてもノック操作が可能であり、
前記第２操作部材のノック操作の際に、前記第１操作部材と前記第２操作部材とが係合して前記第１操作部材のノック操作が行われるが、
前記第１操作部材のノック操作の際に、前記第１操作部材と前記第２操作部材とが係合しないことを特徴とするノック式筆記具。
【発明の詳細な説明】
【技術分野】
【０００１】
本発明は、ノック式筆記具に関する。
【背景技術】
【０００２】
操作部材を指でノック操作することによって、前軸の前端部からリフィル（筆記体）の筆記部を出没させる、いわゆるノック式筆記具がある。通常、軸筒側面に設けられたクリップ又は軸筒後端に設けられたノック部材が、操作部材の役割を果たす。クリップを操作部材としたノック式筆記具の場合、クリップが折れてしまことなどによって、ノック操作ができなくなる。また、ノック部材を操作部材としたノック式筆記具の場合、ノック部材を紛失してしまうことなどによって、ノック操作ができなくなる。ノック部材の紛失は、例えば、ノック部材が消去部材のカバーを兼ねている場合に起こりうる。
【０００３】
そこで、ノック式筆記具において、クリップ及びノック部材が一体に形成され、いずれを用いてもノック操作可能なノック式筆記具が、公知である（特許文献１〜３）。
【先行技術文献】
【特許文献】
【０００４】
【特許文献１】実公平６−２８３１２号公報
【特許文献２】特開平７−３１４９７９号公報
【特許文献３】実開平２−７６０８７号公報
【発明の概要】
【発明が解決しようとする課題】
【０００５】
クリップ及びノック部材が一体に形成されている場合、例えば、軸筒を把持して親指でノック部材をノック操作する際に、クリップも一緒に把持してしまい、ノック操作ができない場合がある。
【０００６】
本発明は、クリップ及びノック部材のいずれを用いてもノック操作可能であり、いずれか一方のノック操作が他方に連動していないノック式筆記具を提供することを目的とする。
【課題を解決するための手段】
【０００７】
本発明の一態様によれば、軸筒と筆記体と第１操作部材と第２操作部材とを具備し、前記第１操作部材又は前記第２操作部材を前方へ押圧するノック操作によって前記筆記体の筆記位置と非筆記位置とを切り替え可能なノック式筆記具であって、前記第１操作部材及び前記第２操作部材のいずれを用いてもノック操作が可能であり、前記第２操作部材のノック操作の際に、前記第１操作部材と前記第２操作部材とが係合して前記第１操作部材のノック操作が行われるが、前記第１操作部材のノック操作の際に、前記第１操作部材と前記第２操作部材とが係合しないことを特徴とするノック式筆記具が提供される。
【０００８】
また、別の態様によれば、前記第１操作部材が受け面を有し、前記第２操作部材は、前記第２操作部材が前方へ移動する場合にのみ前記受け面と係合可能な押圧面を有することを特徴とするノック式筆記具が提供される。
【０００９】
また、別の態様によれば、前記筆記体と共に後方へ付勢された回転子であって、前記第１操作部材のノック操作に応じて前記軸筒内を前後方向に移動し且つ周方向に回転する回転子と、前記第２操作部材のノック操作に応じて前記軸筒内を前後方向に移動可能に配置され且つ後方へ付勢されたカム部材と、を具備し、前記軸筒に第１カム部が形成され、前記回転子に第２カム部が形成され、前記カム部材に第３カム部が形成され、前記第１カム部、第２カム部及び第３カム部が協働して、前記筆記体の筆記位置と非筆記位置とを切り替えられ、前記筆記体の非筆記位置において前記第１操作部材のノック操作が行われると、前記回転子の前記第２カム部が、前記軸筒の前記第１カム部と係合して前記回転子の後方への移動が規制されると共に前記カム部材の前記第３カム部と係合して前記回転子の回転が規制され、それによって前記筆記体が筆記位置を維持し、前記筆記体の筆記位置において前記第１操作部材又は前記第２操作部材のノック操作が行われると、前記カム部材による規制が解除され、前記回転子が回転した後に後方へ移動することによって、前記筆記体が非筆記位置に移動することを特徴とするノック式筆記具が提供される。
【００１０】
また、別の態様によれば、前記第２操作部材が、前記軸筒の側面に設けられ、前記第１操作部材が、前記軸筒の後端部に設けられていることを特徴とするノック式筆記具が提供される。
【００１１】
また、別の態様によれば、前記第１操作部材が、リフィル収納容器のキャップであることを特徴とするノック式筆記具が提供される。
【００１２】
また、別の様態によれば、前記第１操作部材が消去部材を備えることを特徴とするノック式筆記具が提供される。
【発明の効果】
【００１３】
本発明の態様によれば、クリップ及びノック部材のいずれを用いてもノック操作可能であり、いずれか一方のノック操作が他方に連動していないノック式筆記具を提供するという共通の効果を奏する。
【図面の簡単な説明】
【００１４】
【図１】本発明の実施形態による筆記具の正面図である。
【図２】図１の筆記具の縦断面図である。
【図３】図１の筆記具の別の縦断面図である。
【図４】図１の筆記具の尾栓の斜視図である。
【図５】図４の尾栓の縦断面図である。
【図６】図１の筆記具のクリップ部材の斜視図である。
【図７】図６のクリップ部材の縦断面図である。
【図８】図１の筆記具のノック部材の斜視図である。
【図９】図８のノック部材の縦断面図である。
【図１０】図１の筆記部の回転子の斜視図である。
【図１１】図１０の回転子の縦断面図である。
【図１２】図１の筆記具のカムリングの斜視図である。
【図１３】図１２のカムリングの別の斜視図である。
【図１４】図１２のカムリングの上面図である。
【図１５】図１２の線Ａ−Ａによるカムリングの断面図である。
【図１６】図１の筆記具の後軸の上面図である。
【図１７】図１６の後軸の側面図である。
【図１８】図１６の線Ｂ−Ｂによる後軸の断面図である。
【図１９】図１６の線Ｃ−Ｃによる後軸の断面図である。
【図２０】図１９の線Ｄ−Ｄによる後軸の断面図である。
【図２１】図１の筆記具の第１操作部材の斜視図である。
【図２２】リフィル収納品の側面図である。
【図２３】図２２のリフィル収納品の部分縦断面図である。
【図２４】図１の筆記具の非筆記状態の拡大縦断面図である。
【図２５】図１の筆記具の筆記状態の拡大縦断面図である。
【図２６】図２５の筆記状態の筆記具を第１ノック操作している途中の拡大縦断面図である。
【図２７】図２４又は図２５の筆記状態の筆記具を第２ノック操作している途中の拡大縦断面図である。
【図２８】カム機構の関連性を示す模式図である。
【図２９】図２８の線Ｅ−Ｅによる断面の模式図である。
【図３０】図１の筆記具のリフィルがシャープペンシル以外である場合のノック操作を説明する模式図である。
【図３１】図１の筆記具のリフィルがシャープペンシルである場合のノック操作を説明する模式図である。
【図３２】非筆記状態の図１の筆記具の第２ノック操作を説明する模式図である。
【発明を実施するための形態】
【００１５】
以下、図面を参照しながら本発明の実施の形態を詳細に説明する。全図面に渡り、対応する構成要素には共通の参照符号を付す。
【００１６】
図１は、本発明の実施形態による筆記具１の正面図であり、図２は、図１の筆記具１の縦断面図であり、図３は、図１の筆記具１の別の縦断面図である。なお、後述する図２４は、図１の筆記具１の非筆記状態の拡大縦断面図である。
【００１７】
筆記具１は、いわゆるノック式筆記具である。筆記具１は、筒状に形成され且つ前軸２及び後軸３を備えた軸筒４と、軸筒４内に配置され且つ一端に筆記部５ａを備えた筆記体であるリフィル５と、第１スプリング６と、第１スプリング６を包囲するように配置された第２スプリング７と、第１スプリング６及び第２スプリング７の前端部を支持するスプリング支持部材８と、を有している。また、筆記具１は、軸筒４の後端部、すなわち後軸３の後端部に嵌合し且つ筒状に形成された尾栓１０と、筒状に形成された部分を備えたクリップ部材２０と、クリップ部材２０の筒状の部分内に配置されたノック部材３０と、ノック部材３０の前方に配置された回転子４０と、回転子４０を包囲するように配置されたカム部材であるカムリング５０と、ノック部材３０の後端部に嵌合する第１操作部材６０と、を有している。なお、ノック部材３０及び第１操作部材６０は、嵌合によって一体的であることから、嵌合したノック部材３０及び第１操作部材６０の全体を、第１操作部材と称してもよい。
【００１８】
前軸２の前端部はテーパー状に形成され、リフィル５の筆記部５ａを突出させるための貫通孔が形成されている。前軸２の後端部は、後軸３の前端部の内部において螺合することで取り付けられる。筆記具１の軸筒４内には、リフィル５として、シャープペンシル及びシャープペンシル以外（例えばボールペンやマーキングペン）を択一的に収容可能である。
【００１９】
本明細書中では、筆記具１の軸線方向において、筆記部５ａ側を「前」側と規定し、筆記部５ａとは反対側を「後」側と規定する。さらに、筆記具１では、後述するノック操作によって、リフィル５が軸筒４内を前後方向に移動する。筆記部５ａが軸筒４内に没入したリフィル５の位置を非筆記位置と称し、そのときの筆記具１の状態を非筆記状態（図１及び図２）と称する。また、筆記部５ａが軸筒４から突出したリフィル５の位置を筆記位置と称し、そのときの筆記具１の状態を筆記状態（図示せず）と称す。以下、各部材の構成について説明する。
【００２０】
図４は、図１の筆記具１の尾栓１０の斜視図であり、図５は、図４の尾栓１０の縦断面図である。図５において、下方が筆記具１の前側である。
【００２１】
尾栓１０は、筒状に形成された尾栓本体１１と、尾栓本体１１の後端部に凸状に形成された嵌合突起１２と、を有している。尾栓１０を後軸３に取り付ける際には、嵌合突起１２が係止することによって、尾栓１０が外れにくくなっている。また、クリップ部材２０の軸線方向の移動をガイドするため、尾栓本体１１の前端部から後方に向かって、矩形の切り欠き状のガイド溝１３が形成されている。尾栓１０の中心軸線に対してガイド溝１３と対向する位置には、後述するノック部材３０の一部を受容する矩形の切り欠き部１４が形成されている。
【００２２】
図６は、図１の筆記具１のクリップ部材２０の斜視図であり、図７は、図６のクリップ部材２０の縦断面図である。図７において、下方が筆記具１の前側である。
【００２３】
クリップ部材２０は、筒状に形成されたクリップ本体２１と、細長い直方体状に形成されたクリップ部２２と、クリップ本体２１とクリップ部２２とを接続する接続部２３とを有している。クリップ部材２０、具体的にはクリップ部２２は、第２操作部材として使用される。クリップ本体２１の前端部には、フランジ状のフランジ部２４が形成されている。フランジ部２４を含むクリップ本体２１において、クリップ部２２と対向する部分及び当該部分と軸対称の部分には、後方へ延在する矩形の切り欠き状の係合凹部２５がそれぞれ形成されている。係合凹部２５周辺のフランジ部２４の各々は、クリップ部２２と平行な面で面取りされた摺動面２６が形成されている。係合凹部２５の各々から軸線周りに９０度回転させた位置にあるフランジ部２４の前端面には、弧状に画成された２つの当接凹部２７が形成されている。また、係合凹部２５内の底面には、後述するノック部材３０の係合突起３３を押圧する押圧面２８が形成されている。
【００２４】
クリップ本体２１は、尾栓１０の尾栓本体１１内に前方から挿入される。このとき、クリップ部材２０の接続部２３が、尾栓１０のガイド溝１３内に配置される。接続部２３がガイド溝１３に沿ってガイドされることよって、クリップ部材２０が、尾栓１０に対して、前後方向に移動可能となる。
【００２５】
図８は、図１の筆記具１のノック部材３０の斜視図であり、図９は、図８のノック部材３０の縦断面図である。図９において、下方が筆記具１の前側である。
【００２６】
ノック部材３０は、筒状に形成されたノック部本体３１を有している。ノック部本体３１の前端面には、周方向に沿って形成された複数の山部及び谷部からなるカム面３２が形成されている。また、カム面３２近傍のノック部本体３１の外周面には、互いに反対方向に突出し且つ略立方体形状に形成された２つの係合突起３３が形成されている。係合突起３３の後端面には、クリップ部材２０のノック操作の際にクリップ部材２０の押圧面２８と当接する受け面３４が形成されている。
【００２７】
ノック部本体３１は、クリップ部材２０のクリップ本体２１内に前方から挿入される。筆記具１の非筆記状態において、ノック部材３０の係合突起３３の各々は、尾栓１０のガイド溝１３内及び切り欠き部１４内に配置され、且つ、クリップ部材２０の係合凹部２５に配置される。
【００２８】
図１０は、図１の筆記具１の回転子４０の斜視図であり、図１１は、図１０の回転子４０の縦断面図である。図１１において、下方が筆記具１の前側である。
【００２９】
回転子４０は、小径部４１と、小径部４１の前方に形成された中径部４２と、中径部４２の前方に形成された大径部４３とを有している。小径部４１は、ノック部材３０のノック部本体３１内に挿入されて芯合わせに使用される。中径部４２は小径部４１よりも大きな直径を有し、大径部４３は中径部４２よりも大きな直径を有する。回転子４０は、全体として略同じ肉厚の筒状に形成されていることから、小径部４１、中径部４２及び大径部４３の順に、大きな内径をそれぞれ有している。中径部４２の後端面には、ノック部材３０のカム面３２と相補的な形状のカム受け面４４が形成されている。中径部４２の外周面には、径方向外方へ突出する４つの内カム４５が周方向に等間隔に設けられている。内カム４５の後端面は、同一方向に傾斜したカム斜面として形成されている。
【００３０】
中径部４２の内径は、リフィル５が外れないように嵌合するように設定されている。すなわち、リフィル５は回転子４０内に挿入され嵌合し、一体となって動作する。また、大径部４３の内側には、前方に面した環状の面であるスプリング支持面４６が形成されている。
【００３１】
図１２は、図１の筆記具１のカムリング５０の斜視図であり、図１３は、図１２のカムリング５０の別の斜視図であり、図１４は、図１２のカムリング５０の上面図であり、図１５は、図１２の線Ａ−Ａによるカムリング５０の断面図である。図１５において、下方が筆記具１の前側である。
【００３２】
カムリング５０は、筒状に形成されたリング本体５１と、リング本体５１の後端部から前方に向かって２箇所で切り欠かれることによって画成され且つ軸対称位置にある２つの角部５２とを有している。角部５２の各々の内面であるリング本体５１の内面には、軸線方向に沿ってガイド突起５３が形成されている。ガイド突起５３の前端部には、径方向内方へ突出する２つの第１カム突起５４が対向して形成されている。また、リング本体５１の内面において、第１カム突起５４の各々から軸線周りに７０度〜８０度程度回転させた位置であってより前方の位置には、径方向内方へ突出する２つの第２カム突起５５が形成されている。第１カム突起５４及び第２カム突起５５は、外カム５６を構成する。第１カム突起５４及び第２カム突起５５の前端面は、同一方向に傾斜したカム斜面として形成されている。
【００３３】
図１６は、図１の筆記具１の後軸３の上面図であり、図１７は、図１６の後軸３の側面図であり、図１８は、図１６の線Ｂ−Ｂによる後軸３の断面図であり、図１９は、図１６の線Ｃ−Ｃによる後軸３の断面図であり、図２０は、図１９の線Ｄ−Ｄによる後軸３の断面図である。図１７、図１８及び図１９において、下方が筆記具１の前側である。
【００３４】
後軸３は、筒状の後軸本体７０を有している。後軸本体７０の後端部から前方に向かって、矩形の切り欠き状の受容孔７１が形成されている。受容孔７１の後端部近傍は、尾栓１０の嵌合突起１２と嵌合するよう相補的に形成されている。一方、受容孔７１は、尾栓１０を後軸３に取り付けた状態であっても尾栓１０のガイド溝１３と共に、後軸３内に連通する孔を画成する。クリップ部材２０の接続部２３は、この孔内に配置される。後軸本体７０の内部は、隔壁７２によって２つに隔てられている。
【００３５】
隔壁７２の後面からは、後軸本体７０の内周面に沿って受容孔７１まで後方へ延びる一組とさらにこれらと軸対称位置にある一組との合計二組のガイドレール７３が形成されている。各組における２本のガイドレール７３の間には、ノック部材３０の係合突起３３が配置される。ノック部材３０の係合突起３３がガイドレール７３に沿ってガイドされることによって、ノック部材３０が、軸線周りに回転することなく前後方向に移動可能となる。また、各組のガイドレール７３には、クリップ部材２０の摺動面２６が対向して配置される。クリップ部材２０がガイドレール７３上を摺動することによって、クリップ部材２０が、軸線周りに回転することなく前後方向に移動可能となる。
【００３６】
隔壁７２の中央には、回転子４０の中径部４２の径より僅かばかり大きい円形の開口７４が形成されている。隔壁７２の前面において、開口７４の周縁から前方へ突出する中カム７５が形成されている。中カム７５は、図２０に示されるように、半円弧状の断面を有する離間した２つの部分に分かれており、全体として略円筒形状を呈している。したがって、後軸本体７０の内周面と、中カム７５の径方向の外側面との間には、略筒状の空間が形成されている。中カム７５の前端面は、同一方向に傾斜したカム斜面として形成されている。また、中カム７５の径方向の内側面には縦溝７５ａ（図２８及び図２９）が形成され、中カム７５の径方向の外側面には複数の縦溝７５ｂ（図２８及び図２９）が形成されている。
【００３７】
後軸本体７０の内周面近傍の隔壁７２には、軸対称位置にある２つの円弧状の貫通孔７６が形成されている。また、貫通孔７６内の内壁の中央部分には、軸線方向に延びる摺動溝７６ａが形成されている。
【００３８】
図２１は、図１の筆記具１の第１操作部材６０の斜視図である。第１操作部材６０は、円柱状に形成された小径の嵌合部６１と、嵌合部６１よりも大径の操作部６２とを有している。嵌合部６１は、ノック部材３０のノック部本体３１の後端部内に挿入され、嵌合する。また、第１操作部材６０は、筆記具１に収容されるボールペン等の交換式のリフィル５を収容する容器のキャップの役割も果たす。
【００３９】
図２２は、リフィル収納品１００の側面図であり、図２３は、図２２のリフィル収納品１００の部分縦断面図である。
【００４０】
リフィル収納品１００はリフィル収納容器１０１と、リフィル収納容器１０１内に収納された１本のリフィル５とから構成される。リフィル収納容器１０１は、筒状の容器本体１０２と、容器本体１０２の頂部側（図において上方）の開口部を開閉するキャップである第１操作部材６０とを有する。なお、容器本体１０２の底部側（図において下方）の開口部内には尾栓１０３が封密に嵌合されている。リフィル５は、リフィル収納容器１０１内に筆記部５ａが第１操作部材６０に向けて位置するように配置される。
【００４１】
第１操作部材６０が、リフィル収納容器１０１のキャップとしての役割を果たすことから、リフィル５を軸筒４に収容する場合には、第１操作部材６０をリフィル５のインク色と略同色で着色してもよい。
【００４２】
従来、操作部材等に色識別のために特定の色で着色ができないリフィル交換式の筆記具の場合は、軸筒の全部又は一部を透明又は半透明とすることで、リフィルを外部より視認可能にし、それによってユーザーは筆跡の色を知ることができた。そこで、リフィル５を交換する度に、リフィル５が収納されたリフィル収納容器１０１のキャップを、第１操作部材６０として筆記具１に取り付ける。ユーザーは、筆記具１に取り付けられた第１操作部材６０の色を見ることによって、リフィル５の筆跡の色を容易に知ることができる。このため、軸筒４を透明又は半透明にする必要もなくなることから、軸筒４のデザインの幅を広げることが可能となる。
【００４３】
次に、図２４及び図２５を参照しながら、各部品の組み立て及び関連する動作の概要について説明する。図２４は、図１の筆記具１の非筆記状態の拡大縦断面図であり、図２５は、図１の筆記具１の筆記状態の拡大縦断面図である。
【００４４】
回転子４０は、後軸本体７０内に前方から挿入される。すなわち、回転子４０の小径部４１は開口７４を通って隔壁７２の後方へ延び、中径部４２の一部は中カム７５によって包囲される。それによって、回転子４０の内カム４５と後軸３の中カム７５とが、互いに協働するように配置される。また、スプリング支持部材８によって前端部が支持された第１スプリング６の後端部が回転子４０のスプリング支持面４６に当接し、回転子４０及び回転子４０に嵌合するリフィル５を後方へ付勢している。
【００４５】
ノック部材３０は、係合突起３３が後軸３のガイドレール７３間に配置されるように、後軸本体７０内に後方から挿入される。このとき、ノック部材３０のノック部本体３１内に回転子４０の小径部４１が挿入され、それによって、ノック部材３０のカム面３２と、回転子４０のカム受け面４４とが対向して配置される。また、クリップ部材２０は、接続部２３が後軸３の受容孔７１内に配置されるように且つ摺動面２６が後軸３のガイドレール７３上に配置されるように、後軸本体７０内に後方から挿入される。さらに、尾栓１０は、クリップ部材２０の接続部２３がガイド溝１３内に配置されるように、後軸本体７０内に後方から挿入され、嵌合する。筆記具１の非筆記状態（図２４）において、ノック部材３０の係合突起３３は、尾栓１０のガイド溝１３内及び切り欠き部１４内、並びに、クリップ部材２０の係合凹部２５内に配置される。第１操作部材６０は、ノック部材３０のノック部本体３１の後端部内に挿入される。
【００４６】
カムリング５０は、後軸本体７０内に前方から挿入される。リング本体５１は、後軸３の中カム７５を包囲するように、後軸本体７０の内周面と中カム７５との間の略筒状の空間に配置される。それによって、後軸３の中カム７５とカムリング５０の外カム５６とが、互いに協働するように配置される。
【００４７】
図３に示されるように、カムリング５０の２つの角部５２は、隔壁７２の貫通孔７６を通って隔壁７２の後方へ延びている。このとき、カムリング５０のガイド突起５３は、貫通孔７６の摺動溝７６ａ内に配置される。カムリング５０のガイド突起５３が摺動溝７６ａに沿ってガイドされることによって、カムリング５０が、軸線周りに回転することなく前後方向に移動可能となる。隔壁７２の後方へ延びる２つの角部５２の先端部は、クリップ部材２０の当接凹部２７内でクリップ部材２０と当接する。スプリング支持部材８によって前端部が支持された第２スプリング７の後端部がカムリング５０のリング本体５１の前端面に当接し、カムリング５０及びクリップ部材２０を後方へ付勢している。
【００４８】
図２４の筆記具１の非筆記状態から、第１操作部材６０をノック操作することによって、図２５に示されるような、筆記状態に移行する。ここで、ノック操作とは、第１操作部材６０又は第２操作部材としてのクリップ部材２０のクリップ部２２を前方へ押圧した後、すなわち押し込んだ後にその押圧を解除するまでの一連の動作をいう。第１操作部材６０をノック操作することを、特に第１ノック操作といい、第２操作部材をノック操作することを、特に第２ノック操作という。
【００４９】
詳細は後述するが、筆記具１の筆記状態は回転子４０の内カム４５の係合によって維持されるように構成される。筆記具１の非筆記状態又は筆記状態では、ノック部材３０のカム面３２の山部と回転子４０のカム受け面４４の山部とは、位相がずれるように配置されている。第１操作部材６０のノック操作によって、第１スプリング６の付勢力に抗してノック部材３０に対して軸線方向の押圧力を加えると、カム面３２及びカム受け面４４の山部の位相のずれを無くすように回転方向の力が生じ、回転子４０を前進させながら一定方向へ回転させる。第１スプリング６によって後方へ付勢された回転子４０が、付勢力に抗して前進し、前方で係合すると筆記具１は筆記状態となり、回転子４０の係合が解除されて後方へ移動すると筆記具１は非筆記状態となる。
【００５０】
なお、第２操作部材、すなわちクリップ部材２０のクリップ部２２のノック操作によって、第２スプリング７の付勢力に抗してクリップ部材２０に対して軸線方向の押圧力を加えると、クリップ部材２０及びクリップ部材２０の当接凹部２７内でクリップ部材２０に当接するカムリング５０は、前進する。
【００５１】
図２６は、図２５の筆記状態の筆記具１を第１ノック操作している途中の拡大縦断面図である。ここで、リフィル５がシャープペンシルである場合と、シャープペンシル以外である場合とで、筆記状態の筆記具１を第１ノック操作した結果が異なる。すなわち、リフィル５がシャープペンシル以外である場合において、筆記状態の筆記具１を第１ノック操作すると、回転子４０の係合が解除されて非筆記状態に切り替えられる。他方、リフィル５がシャープペンシルである場合において、筆記状態の筆記具１を第１ノック操作すると、回転子４０の係合が解除されることなく、すなわち、非筆記状態に切り替えられることなく、筆記芯の繰り出しが行われる。
【００５２】
図２７は、図２４又は図２５の筆記状態の筆記具１を第２ノック操作している途中の拡大縦断面図である。筆記状態の筆記具１を第２ノック操作すると、リフィルがシャープペンシルであってもシャープペンシル以外であっても、筆記状態から非筆記状態の切り替えが行われる。
【００５３】
非筆記状態の筆記具１を第２ノック操作すると、第１ノック操作も同時に行われる。すなわち、筆記具１の非筆記状態において、第２ノック操作によって押圧されるクリップ部材２０の前方に開口する係合凹部２５には、ノック部材３０の係合突起３３が配置されている。したがって、クリップ部材２０が前方へ移動すると、ノック部材３０の係合突起３３が係合凹部２５と係合して前方へ移動する。すなわち、クリップ部材２０のクリップ部２２を押圧する第２ノック操作を行うと、第１操作部材６０を押圧したときと同様にノック部材３０も押圧され、結果として第１ノック操作が行われる。
【００５４】
他方、非筆記状態の筆記具１を第１ノック操作しても、第２ノック操作が同時に行われることはない。すなわち、筆記具１の非筆記状態において、ノック部材３０が前方へ移動しても、ノック部材３０の係合突起３３は、クリップ部材２０の係合凹部２５と係合せず、第１ノック操作のみが行われる。
【００５５】
第１ノック操作することによって、筆記具１は、図２４の非筆記状態から図２５の筆記状態に移行するが、第２ノック操作を行うと第１ノック操作も行われることから、第２ノック操作をすることによって、筆記具１を非筆記状態から筆記状態に切り替えることが可能となる。すなわち、筆記具１は、第１操作部材６０及び第２操作部材（クリップ部２２）のいずれを用いてもノック操作が可能である。
【００５６】
したがって、例えば第１操作部材６０が外れて無くなるか又はクリップ部２２が折れたとしても、他方の操作部材を使用することによってノック操作をすることが可能となる。また、第１操作部材６０をノック操作する場合に、軸筒と一緒にクリップ部２２を把持してしまっても、第１ノック操作をすることが可能である。すなわち、本発明によれば、第１操作部材６０及び第２操作部材（クリップ部２２）のいずれを用いてもノック操作可能であり、いずれか一方のノック操作が他方に連動していないノック式筆記具が提供される。以下、第１ノック操作及び第２ノック操作について説明する。
【００５７】
図２８は、カム機構の関連性を示す模式図である。図２８は、後軸３に形成された中カム７５を展開した一部に対する内カム４５及び外カム５６の位置を示したものである。図２８において、上方が筆記具１の前側である。図２９は、図２８の線Ｅ−Ｅによる断面の模式図である。図２８が後軸３に形成された中カム７５を展開した状態なので、図２９に示す断面図では、これらのカムが湾曲したものでなく、直線状に描かれている。図２９において、上方が径方向外側で、下方が径方向内側である。
【００５８】
図２９において、径方向の外側から内側に向かって、後軸３の後軸本体７０、カムリング５０のリング本体５１及び外カム５６、後軸３の中カム７５、及び、回転子４０の中径部４２及び内カム４５が、順に配置されている。より具体的には、内カム４５は、中カム７５の径方向の内側面に形成された縦溝７５ａ内に配置される。外カム５６の第２カム突起５５は、中カム７５の径方向の外側面に形成された縦溝７５ｂ内に配置されている。内カム４５及び外カム５６は、ノック操作に応じて前後方向に移動する。回転子４０は、内カム４５が中カム７５の縦溝７５ａ内に配置されているときは、回転しないが、縦溝７５ａを越えると回転可能となる。図２９から明らかなように、回転子４０の内カム４５は、中カム７５の径方向の外側面に形成された縦溝７５ｂ内に入ることはない。
【００５９】
図３０は、図１の筆記具１のリフィル５がシャープペンシル以外である場合のノック操作を説明する模式図であり、図３１は、図１の筆記具１のリフィル５がシャープペンシルである場合のノック操作を説明する模式図である。図３０及び図３１において、上方が筆記具１の前側である。図３０及び図３１は、図２８と同様に、後軸３に形成された中カム７５を展開したものに対する内カム４５及び外カム５６の位置及びその動作を示したものである。回転子４０の内カム４５は、ノック操作毎に回転して図の右方向へと移動し、図の左端にある内カム４５の内の１つが右端まで達すると、回転子４０はちょうど１回転したことになる。
【００６０】
図３０（１）は、筆記具１の非筆記状態を示しており、図３０（４）は、筆記具１の筆記状態を示している。
【００６１】
図３０（１）に示されるような、リフィル５が非筆記位置にあるときは、内カム４５は、中カム７５の縦溝７５ａ内に配置されている。この状態では、第１スプリング６によって回転子４０が後方へ付勢されている。そのため、カム面３２及びカム受け面４４の山部の位相のずれによって、内カム４５は、回転方向、すなわち図において右方向へ付勢されているが、縦溝７５ａの縦壁によって回転が規制されている。
【００６２】
リフィル５が非筆記位置にある状態から第１操作部材６０を押圧すると、すなわち、第１ノック操作すると、回転子４０の内カム４５は、前進して中カム７５の縦溝７５ａの縦壁を越える位置に達する（図３０（２））。このとき、縦溝７５ａの縦壁による規制が解除されるため、カム面３２及びカム受け面４４の山部の位相のずれを無くすように、回転子４０が図において右方向へ僅かに回転する（図３０（３））。
【００６３】
次いで、押圧を解除すると、すなわちノック操作を完了させると、回転子４０の内カム４５のカム斜面が、第１スプリング６の付勢力によって、中カム７５のカム斜面に押圧される。それによって、回転子４０の内カム４５は、中カム７５のカム斜面に沿って滑り、外カム５６、特に第１カム突起５４の縦壁に当接することによって回転が規制される。すなわち、回転子４０の内カム４５が、中カム７５と係合して回転子４０の後方への移動が規制されると共に外カム５６と係合して回転子４０の回転が規制され、それによってリフィル５は筆記位置を維持する（図３０（４））。
【００６４】
リフィル５が筆記位置にある状態から第１操作部材６０を押圧すると、回転子４０の内カム４５は、前進して外カム５６の縦壁を越える位置に達する（図３０（５））。このとき、外カム５６の縦壁による規制が解除されるため、カム面３２及びカム受け面４４の山部の位相のずれを無くすように、回転子４０が図において右方向へ僅かに回転する（図３０（６））。次いで、押圧を解除すると、すなわちノック操作を完了させると、回転子４０の内カム４５のカム斜面が、第１スプリング６の付勢力によって、外カム５６のカム斜面に押圧される。それによって、回転子４０の内カム４５は、外カム５６のカム斜面に沿って滑り、中カム７５の縦溝７５ａ内を後方へ移動する（図３０（７））。すなわち、回転子４０の内カム４５は、中カム７５及び外カム５６との係合が解除され、回転子４０が回転した後に後方へ移動することによって、リフィル５は非筆記位置に移動する（図３０（１））。
【００６５】
次に、図３１を参照しながら、図１の筆記具１のリフィル５がシャープペンシルである場合のノック操作を説明する。図３１（１）乃至（４）は、図３０（１）乃至（４）とそれぞれ同一である。図３１（４）に示されるように、リフィル５が筆記位置にある状態から第１操作部材６０を押圧すると、回転子４０の内カム４５と、中カム７５及び外カム５６との係合が解除されることなく、筆記芯の繰り出しが行われる。すなわち、第１ノック操作によって、回転子４０の内カム４５は前進するが、外カム５６の縦壁を越えることがなく（図３１（５））、元の筆記位置に復帰する（図３１（６））。
【００６６】
言い換えると、第１ノック操作によって、回転子４０の内カム４５が外カム５６の縦壁を越えることがなく回転子４０が前後方向に移動して筆記芯の繰り出しが行われるように、シャープペンシルのリフィル５の寸法及び形状が設計される。すなわち、第１操作部材６０の押圧によるリフィル５の前進は、リフィル５の先端が前軸２の前端部の内部に当接して回転子４０の内カム４５が外カム５６の縦壁を越える前に停止し、そのさらなる押圧操作は、シャープペンシルのチャックを開放させて、筆記芯の繰り出しが行われる。
【００６７】
リフィル５が筆記位置にある状態（図３１（６））から第２操作部材であるクリップ部２２を押圧すると、すなわち、第２ノック操作すると、外カム５６が前進し、第１カム突起５４が回転子４０の内カム４５を越える位置に達する（図３１（７））。このとき、外カム５６の縦壁による規制が解除されるが、回転子４０の内カム４５は、中カム７５の縦溝７５ｂの縦壁の先端に当接することによって回転が規制されている。また、外カム５６の第２カム突起５５のカム斜面は、回転子４０の内カム４５のカム斜面と当接する。
【００６８】
この状態からさらにクリップ部２２の押圧を続けると、回転子４０の内カム４５は、前進して中カム７５の縦溝７５ｂの縦壁を越える位置に達する（図３１（８））。このとき、縦溝７５ｂの縦壁による規制が解除されるため、カム面３２及びカム受け面４４の山部の位相のずれを無くすように、回転子４０が図において右方向へ僅かに回転する（図３１（９））。次いで、押圧を解除すると、すなわちノック操作を完了させると、回転子４０の内カム４５のカム斜面が、第１スプリング６の付勢力によって、中カム７５のカム斜面に押圧される。それによって、回転子４０の内カム４５は、中カム７５のカム斜面に沿って滑り、中カム７５の縦溝７５ａ内を後方へ移動する（図３１（１０））。すなわち、回転子４０の内カム４５は、中カム７５及び外カム５６との係合が解除され、回転子が回転した後に後方へ移動することによって、リフィル５は非筆記位置に移動する（図３１（１））。
【００６９】
図３２は、非筆記状態の図１の筆記具１の第２ノック操作を説明する模式図である。図３０（１）に示されるように、筆記具１の非筆記状態から、クリップ部材２０のクリップ部２２を押圧すると、カムリング５０と共に回転子４０も前進する。すなわち、中カム７５に対して、回転子４０の内カム４５及びカムリング５０の外カム５６が、図３２に示されるように同時に前進する。次いで、押圧を解除すると、クリップ部材２０は元の位置に復帰し、図３０（２）に示される状態となり、最終的に図３０（４）に示されるように、リフィル５が筆記位置を維持する。
【００７０】
本発明によれば、後軸３の中カム７５、回転子４０の内カム４５及びカムリング５０の外カム５６が協働して、リフィル５の筆記位置と筆記位置とを切り替えることが可能となる。すなわち、リフィル５としてシャープペンシル及びシャープペンシル以外を択一的に使用可能なノック式筆記具において、シャープペンシル及びシャープペンシル以外の出没並びにシャープペンシルの筆記芯の繰り出しが可能なノック式筆記具を提供することが可能となる。リフィル５としてシャープペンシルを使用する場合でもシャープペンシル以外を使用する場合でも、筆記位置から非筆記位置への切り替えは、第１操作部材６０及び第２操作部材の両方で行うことができる。他方、リフィル５としてシャープペンシルを使用する場合でもシャープペンシル以外を使用する場合でも、非筆記位置から筆記位置への切り替えは、第２操作部材で行うことができる。また、リフィル５としてシャープペンシル以外を使用する場合は、非筆記位置から筆記位置への切り替えは、第１操作部材６０でも行うことができる。さらに、リフィル５としてシャープペンシルを使用する場合、筆記芯の繰り出しは第１操作部材６０で行うことができる。したがって、シャープペンシルにおける筆記芯の繰り出しと、シャープペンシル及びシャープペンシル以外のいずれのリフィル５の筆記位置及び非筆記位置の切り替えを間違えることが無い。
【００７１】
上述した実施形態では、第１操作部材は軸筒４の後端部に設けられていたが、後端部意外に設けてもよい。また、第２操作部材はクリップ部材２０の一部として軸筒４の側面に設けられていたが、側面以外に設けてもよい。さらに、カムリング５０の外カム５６は、後軸３の中カム７５と協働して、回転子４０の内カム４５の回転方向の移動を規制する限り、任意の構成を採用してもよい。また、後軸３の中カム７５は、カムリング５０の外カム５６と協働して、回転子４０の内カム４５の後方への移動及び回転方向の移動を規制する限り、任意の構成を採用してもよい。また、筆記具１について、リフィル５としてシャープペンシルを収容することを想定していない場合は、カムリング５０を筆記具１に備えず、カムリング５０に形成された外カム５６を、後軸本体７０に一体に形成してもよい。
【００７２】
第１操作部材６０は、筆記具１による筆跡を消去するための消去部材として構成してもよい。また、上述した実施形態におけるリフィル５は、熱変色性インクを収容してもよい。この場合、筆記具１は熱変色性筆記具であり、消去部材としての第１操作部材６０は摩擦体であり、摩擦体によって擦過した際に生じる摩擦熱によって、筆記具１の筆跡を熱変色可能である。なお、リフィル５として、熱変色インクを収容したボールペン、熱変色芯を収容したシャープペンシル、鉛筆ホルダ等を使用することもできる。また、消しゴムで消去可能な消しゴム消去式インクを収容した筆記具としてもよい。
【００７３】
ここで、熱変色性インクとは、常温（例えば２５℃）で所定の色彩（第１色）を維持し、所定温度（例えば６０℃）まで昇温させると別の色彩（第２色）へと変化し、その後、所定温度（例えば−５℃）まで冷却させると、再び元の色彩（第１色）へと復帰する性質を有するインクを言う。熱変色性インクを用いた筆記具１では上記第２色を無色とし、第１色（例えば赤）で筆記した描線を昇温させて無色とすることを、ここでは「消去する」ということとする。したがって、描線が筆記された筆記面等に対して摩擦体としての第１操作部材６０によって擦過して摩擦熱を生じさせ、それによって描線を無色に変化、すなわち消去させる。なお、当然のことながら上記第２色は、無色以外の有色でもよい。
【００７４】
また、消しゴムで消去可能な消しゴム消去式インクを収容した筆記具とする場合における消しゴム消去性インクは、水と、平均粒子径２〜２０μｍであり、かつ、非熱可塑性である着色樹脂粒子をインク組成物全量に対して５〜３０重量％と、ガラス転移点が０℃未満である非着色粒子とを少なくとも含有することを特徴とするものである。なお、本発明で規定する「平均粒子径」は、粒度分布測定装置〔マイクロトラックＨＲＡ９３２０−Ｘ１００（日機装社製）〕にて、平均粒子径を測定した値である。本発明に用いる着色樹脂粒子は、着色された樹脂粒子からなるものであり、非熱可塑性であり、かつ、平均粒子径が２〜２０μｍとなる着色樹脂微粒子であることが必要である。本発明に用いる着色樹脂粒子としては、例えば、樹脂粒子中に顔料からなる着色剤が分散された着色樹脂粒子、樹脂粒子の表面が顔料からなる着色剤で被覆された着色樹脂粒子、樹脂粒子に染料からなる着色剤が染着された着色樹脂粒子などが挙げられる。本発明では、着色樹脂粒子が非熱可塑性で上記平均粒子径を充足するものであれば、その構造〔中空構造あり、中空構造なし（密実）〕、形状（球状、多角形状、扁平状、繊維状）等は特に限定されるものでないが、好ましくは、優れた消去性、筆記性、インクとしての経時安定性を発揮せしめる点から、ガラス転移点が１５０℃以上で熱分解温度に近く、さらにはメルトフローインデックス値が０．１未満であるような分子内架橋を持つ粒子で粘着性を有せず、かつ、平均粒子径が３〜１５μｍとなる球状の着色樹脂微粒子の使用が好適である。また、着色樹脂粒子の平均粒子径が２μｍ未満であると、紙繊維の空隙に入り込みやすくなり消去性が低下してしまうこととなり、好ましくない。また、着色樹脂粒子の平均粒子径が２０μｍを越えるものであると、消去性は向上することとなるが、インクとしての濃度が薄くなること、着色樹脂粒子が沈殿しやすくなり、経時的安定性が損なわれること、筆記時の感触が悪くなることなどの不具合が生じることとなり、好ましくない。この着色樹脂粒子の平均粒子径を２〜２０μｍとし、かつ、非熱可塑性のものを用いることにより、初めて、紙の繊維の深部まで入り込むことなく、紙表面付近に留まり、消去具によって容易に除去することができることとなる。
【００７５】
消去部材又は摩擦体としての第１操作部材６０を形成する材料として、シリコーンゴム、ニトリルゴム、エチレンプロピレンゴム、エチレンプロピレンジエンゴム等の熱硬化性ゴムやスチレン系エラストマー、オレフィン系エラストマー、ポリエステル系エラストマー等の熱可塑性エラストマーといったゴム弾性材料、２種以上のゴム弾性材料の混合物、及び、ゴム弾性材料と合成樹脂との混合物、市販されている消しゴム等が挙げられる。第１操作部材６０は、熱変色筆記具とする場合は、ＪＩＳ  Ｋ７２０４に規定された摩耗試験（ＡＳＴＭ  Ｄ１０４４）の荷重９．８Ｎ、１０００ｒｐｍ環境下において、テーバー摩耗試験機の摩耗輪ＣＳ−１７でのテーバー摩耗量が１０ｍｇ以上であり、ＪＩＳ  Ｋ６２０３に規定されたデュロメータＤ硬度が３０以上であることが、紙面等を傷めず安定した消去とすることができ好適である。
【００７６】
なお、ここでいう「消去」とは、上記熱変色性インクを用いた場合以外にも、筆記した描線、文字等を消しゴム等の消去部で吸着又は削ぎ落とすことをいう。さらに、第１操作部材６０を消去部材の代わりに、感圧式タッチペンや軸筒等に電導性を付与して静電容量式タッチペンとして使用可能なように構成してもよい。したがって、本発明は、筆記した描線を、消去部材を用いて消去する任意の筆記具にも適用可能である。
【符号の説明】
【００７７】
１    筆記具
２    前軸
３    後軸
４    軸筒
５    リフィル
６    第１スプリング
７    第２スプリング
８    スプリング支持部材
１０    尾栓
２０    クリップ部材
３０    ノック部材
４０    回転子
５０    カムリング
６０    第１操作部材
【図１】
2020078926.tif 000003
【図２】
2020078926.tif 000004
【図３】
2020078926.tif 000005
【図４】
2020078926.tif 000006
【図５】
2020078926.tif 000007
【図６】
2020078926.tif 000008
【図７】
2020078926.tif 000009
【図８】
2020078926.tif 000010
【図９】
2020078926.tif 000011
【図１０】
2020078926.tif 000012
【図１１】
2020078926.tif 000013
【図１２】
2020078926.tif 000014
【図１３】
2020078926.tif 000015
【図１４】
2020078926.tif 000016
【図１５】
2020078926.tif 000017
【図１６】
2020078926.tif 000018
【図１７】
2020078926.tif 000019
【図１８】
2020078926.tif 000020
【図１９】
2020078926.tif 000021
【図２０】
2020078926.tif 000022
【図２１】
2020078926.tif 000023
【図２２】
2020078926.tif 000024
【図２３】
2020078926.tif 000025
【図２４】
2020078926.tif 000026
【図２５】
2020078926.tif 000027
【図２６】
2020078926.tif 000028
【図２７】
2020078926.tif 000029
【図２８】
2020078926.tif 000030
【図２９】
2020078926.tif 000031
【図３０】
2020078926.tif 000032
【図３１】
2020078926.tif 000033
【図３２】
2020078926.tif 000034
【手続補正書】
【提出日】令和1年11月20日(2019.11.20)
【手続補正１】
【補正対象書類名】特許請求の範囲
【補正対象項目名】全文
【補正方法】変更
【補正の内容】
【特許請求の範囲】
【請求項１】
軸筒と筆記体と第１操作部材と第２操作部材とを具備し、前記第１操作部材又は前記第２操作部材を前方へ押圧するノック操作によって前記筆記体の筆記位置と非筆記位置とを切り替え可能なノック式筆記具であって、
前記第１操作部材及び前記第２操作部材のいずれを用いてもノック操作が可能であり、  前記第２操作部材が、前記軸筒の側面に設けられ、前記第１操作部材が、前記軸筒の後端部に設けられ、
前記第１操作部材が、消去部材を備えることを特徴とするノック式筆記具。
【請求項２】
前記第１操作部材が、熱変色性インクのリフィル収納容器のキャップを備えることを特徴とする請求項１に記載のノック式筆記具。
【請求項３】
前記筆記体と共に後方へ付勢された回転子であって、前記第１操作部材のノック操作に応じて前記軸筒内を前後方向に移動し且つ周方向に回転する回転子と、
前記第２操作部材のノック操作に応じて前記軸筒内を前後方向に移動可能に配置され且つ後方へ付勢されたカム部材と、を具備し、
前記軸筒に第１カム部が形成され、前記回転子に第２カム部が形成され、前記カム部材に第３カム部が形成され、
前記第１カム部、第２カム部及び第３カム部が協働して、前記筆記体の筆記位置と非筆記位置とを切り替えられ、
前記筆記体の非筆記位置において前記第１操作部材のノック操作が行われると、前記回転子の前記第２カム部が、前記軸筒の前記第１カム部と係合して前記回転子の後方への移動が規制されると共に前記カム部材の前記第３カム部と係合して前記回転子の回転が規制され、それによって前記筆記体が筆記位置を維持し、
前記筆記体の筆記位置において前記第１操作部材又は前記第２操作部材のノック操作が行われると、前記カム部材による規制が解除され、前記回転子が回転した後に後方へ移動することによって、前記筆記体が非筆記位置に移動することを特徴とする請求項１又は２に記載のノック式筆記具。
【請求項４】
前記第１操作部材が受け面を有し、前記第２操作部材は、前記第２操作部材が前方へ移動する場合にのみ前記受け面と係合可能な押圧面を有することを特徴とする請求項３に記載のノック式筆記具。